(57)【要約】【課題】効果的に外界の水気や空気をシャットアウトすることで品質の向上を果たす有機ＥＬ装置の封止構造を提供する。【解決手段】封止樹脂を用い、封止キャップの周辺位置の封止エリアを直接カラーフィルタの基板の表面に設置し、封止キャップで一つ以上の有機ＥＬ素子を被覆し、封止のプロセスで前記封止キャップの封止エリアと基板との間にはオーバーコートが存在しなように、このため、カラーフィルタのオーバーコートが外界と直接接触するのを防止して、外界からの水気や空気をシャットアウトする。【選択図】  図４
2007141803.tif 000002
【特許請求の範囲】
【請求項１】
カラーフィルタを含む有機エレクトロルミネッセンス装置の封止構造において、
前記カラーフィルタは基板の一部の上側表面に一つ以上のカラー濾光層を設け、オーバーコートで該カラーフィルタ及び一部の基板の上方を被覆し、また該カラーフィルタの一部の上側表面には一つ以上の有機エレクトロルミネッセンス素子を設け、更に該カラーフィルタ上方には封止キャップを設け、該有機エレクトロルミネッセンス素子を被覆し、
前記封止キャップの周辺位置には封止エリアを設け、該封止エリアは該カラーフィルタの基板の一部の上側表面上に直接設置されることを特徴とする有機エレクトロルミネッセンス装置の封止構造。  
【請求項２】
前記封止キャップの封止エリアは、封止樹脂を用い直接該カラーフィルタの前記基板の一部の上側表面に設けられることを特徴とする請求項１記載の有機エレクトロルミネッセンス装置の封止構造。  
【請求項３】
前記オーバーコートは前記有機エレクトロルミネッセンス素子との間にバリア層を増設することを特徴とする請求項１記載の有機エレクトロルミネッセンス装置の封止構造。  
【請求項４】
前記オーバーコートの設置の幅は前記封止キャップの設置の幅より狭く、該オーバーコートの設置の長さは該封止キャップの設置の長さよりも短いことを特徴とする請求項１記載の有機エレクトロルミネッセンス装置の封止構造。
【発明の詳細な説明】
【技術分野】
【０００１】
本発明は有機エレクトロルミネッセンス装置の封止構造に係り、特にカラーフィルタのオーバーコートの設置エリアを変えることにより、外界からの水気や空気が該有機ＥＬ装置に進入するルートを少なくする有機ＥＬ装置の封止構造に関わる。
【背景技術】
【０００２】
有機エレクトロルミネッセンス（ＥＬ）装置は、照度が高く視覚が広い、また電気消耗量が少なくレスポンスも速い、更には、パネルが薄くて軽量であり、構造と製造も簡単等利点が多く、各国で注目されている。
公知における有機ＥＬ相違２００は、図１，２に示すように、カラーフィルタ１０の一部の上側表面に一つ以上の有機ＥＬ素子２１が設けられ、光の濾過とカラーディスプレイの目的を達成する。封止キャップ２３を該カラーフィルタ１０の上側表面に設置するが、該封止キャップ２３には上板２３３を含み、該封止キャップ２３の周辺位置には封止エリア（枠）２３１を設け、封止樹脂２５により該封止エリア２３１が直接該カラーフィルタ１０の一部の上側表面に設けられ、該有機ＥＬ素子２１が該封止キャップ２３の内部に被覆され、該有機ＥＬ素子２１を保護し、外界の水気や空気からシャットアウトする作用効果を有している。
一般のカラーフィルタ１０の構造は、主に該基板１１の一部の上表面に一つ以上のカラー濾光層１３が設けられ、後続の製造プロセスが容易になるようにしており、例えば、該カラーフィルタ１０の上側表面に有機ＥＬ素子２１を設け、該カラー濾光層１３及び基板１１の上へオーバーコート１５及びバリヤ層１７を設けることにより、該カラーフィルタ１０は平坦化される。
【特許文献１】特開２００１−１２６８６２号公報
【特許文献２】特開平１１−１８５９５５号公報
【発明の開示】
【発明が解決しようとする課題】
【０００３】
しかし、上述の構造では該有機ＥＬ装置の封止のプロセスにおいて、該封止キャリアはカラーフィルタのオーバーコート或いはバリア層の上側表面に設置されるが、これらオーバーコートとバリア層は、外界と直接接触した状態であり、水気や空気を効果的にシャットアウトできず、このため、有機エレクトロルミネッセンス装置の内部に水気や空気が進入するルートが形成されて、有機エレクトロルミネッセンス装置の使用寿命に悪影響を与えている。
そこで、本発明は上述の欠点に鑑み、有機エレクトロルミネッセンス装置において、カラーフィルタのオーバーコートやバリア層を外界と直接接触させないように効果的に外界の水気や空気をシャットアウトすることで品質の向上を果たすべく、本発明の有機ＥＬ装置の封止構造を提供する。
【課題を解決するための手段】
【０００４】
上述した課題を解決すべく、本発明は、基板の一部の上側表面に一つ以上のカラー濾光層を設け且つオーバーコートで該カラー濾光層及び一部の基板上方を被覆するカラーフィルタと、有機ＥＬ素子を被覆するべく該カラーフィルタ上方に封止キャップとを設け、該封止キャップを該基板表面に直接設置し、該カラーフィルタの該オーバーコートが外界と直接接触するのを防止することで、外界の水気や空気をシャットアウトし、更に封止キャップをバリア層の一部の上側表面に設置し、該封止キャップ、封止樹脂、基板のみが直接外界と接触する構造とすることで、シャットアウトをより確実にするものである。
【０００５】
すなわち、請求項１の発明は、カラーフィルタを含む有機エレクトロルミネッセンス装置の封止構造において、前記カラーフィルタは基板の一部の上側表面に一つ以上のカラー濾光層を設け、オーバーコートで該カラーフィルタ及び一部の基板の上方を被覆し、また該カラーフィルタの一部の上側表面には一つ以上の有機エレクトロルミネッセンス素子を設け、更に該カラーフィルタ上方には封止キャップを設け、該有機エレクトロルミネッセンス素子を被覆し、前記封止キャップの周辺位置には封止エリアを設け、該封止エリアは該カラーフィルタの基板の一部の上側表面上に直接設置されることを特徴とする有機エレクトロルミネッセンス装置の封止構造である。  
請求項２の発明は、前記封止キャップの封止エリアは、封止樹脂を用い直接該カラーフィルタの前記基板の一部の上側表面に設けられることを特徴とする請求項１記載の有機エレクトロルミネッセンス装置の封止構造である。  請求項３の発明は、前記オーバーコートは前記有機エレクトロルミネッセンス素子との間にバリア層を増設することを特徴とする請求項１記載の有機エレクトロルミネッセンス装置の封止構造である。  
請求項４の発明は、前記オーバーコートの設置の幅は前記封止キャップの設置の幅より狭く、該オーバーコートの設置の長さは該封止キャップの設置の長さよりも短いことを特徴とする請求項１記載の有機エレクトロルミネッセンス装置の封止構造である。
【発明の効果】
【０００６】
本発明によると、有機エレクトロルミネッセンス装置の封止構造において、カラーフィルタのオーバーコートの設置エリアを変えることで、外界の水気や空気が有機ＥＬ装置に入り込む可能性のあるルートを効果的に減らすことに成功し、有機ＥＬ素子の保護、並びに品質向上等の効果を奏する。
【発明を実施するための最良の形態】
【０００７】
本発明の好適な有機エレクトロルミネッセンス装置の封止構造の実施例を図面を参照して説明する。
図３，４に示すように、本発明の実施例は有機エレクトロルミネッセンス（有機ＥＬ）装置４００にカラーフィルタ３０を含み、該カラーフィルタ３０の上方には一つ以上の有機ＥＬ素子４１が設けられ、封止樹脂４５の使用により封止キャップ４３が該カラーフィルタ３０の一部の上側表面を被覆する。該封止キャップ４３には上板４３３を含み、該封止キャップ４３の周囲のある一定の位置には封止エリア（枠）４３１が設けられる。該カラーフィルタ３０は主に基板３１の一部の上側表面に一つ以上のカラー濾光層３３が設けられ、該カラー濾光層３３の上方にはオーバーコート３５が被覆され、これにより該カラー濾光層３３を平坦化する。
【０００８】
前記オーバーコート３５を設置する際には、該封止キャップ４３の外形に応じ、カラー濾光層３３の側部までも覆い、カラー濾光層３３を完全に被覆した特殊な形状のオーバーコート３５を形成し、該オーバーコート３５の封止エリア４３１と該基板３１との間にはオーバーコート３５が存在しないようにする。こうすることで、該封止キャップ４３の周辺位置の矩形の枠体からなる封止エリア４３１は直接該カラーフィルタ３０の基板３１の一部の上側表面に設けられ、該封止エリア（枠）４３１内部には有機ＥＬ素子４１を被覆し、該有機ＥＬ素子４１を保護し、外部からの水気や空気からシャットアウトする目的を達成する。
【０００９】
前記封止キャップ４３は、直接該カラーフィルタ３０の基板３１表面上に設置され、該封止キャップ４３の封止エリア（枠）４３１と基板３１との間にはオーバーコート３５が存在しない。つまり、該オーバーコート３５は該封止キャップ４３内部で被覆され、該オーバーコート３５自体が封止キャップ４３の外周である外界と接触せず、外界の水気や空気が該有機ＥＬ装置４００に進入するのを防止する可能性があるルートを少なくする。
該有機ＥＬ装置４００の封止キャップ４３（上蓋４３３及び封止エリア（枠）４３１）並びに基板３１は、構造が緊密な二酸化シリコン等の材質によるものとし、該封止キャップ４３と基板３１は該オーバーコート３５と保護層（バリア）３７よりも水気や空気をシャットアウトする効果に優れている。
【００１０】
前記封止キャップ４３の封止エリア４３１は直接該基板３１の一部の上側表面に設けられ、該有機ＥＬ装置４００内部では水気や空気のルートは該基板３１、封止樹脂４５、或いは封止キャップ４３のみとなり、水気や空気が該有機ＥＬ装置４００に進入する可能性が非常に低くなる。該基板３１と封止キャップ４３において、水気や空気をシャットアウトする材質を用いた場合、水気や空気が入り込む可能性のある構造は封止樹脂４５からのみとなり、該有機ＥＬ装置４００の封止プロセス進行と同時に、該封止樹脂４５の構造が完全であるかどうかさえ確実にすれば、該有機ＥＬ装置４００の封止構造の完全さが確認できるようになる。こうして公知とは異なり、水気や空気を効果的にシャットアウトし、封止効果を高める。
【００１１】
第一実施例において、該封止キャップ４３は設置の長さがＬ１、幅がＷ１の四角形とし、また該オーバーコート３５は設置の長さがＬ２、幅がＷ２の四角形とする。該オーバーコート３５の設置の長さＬ２は該封止キャップ４３の設置の長さＬ１より短く、また、該オーバーコート３５の設置の幅Ｗ２は該封止キャップ４３の設置の幅Ｗ１より短い。
つまり、該オーバーコート３５の設置面積は、該封止キャップ４３の設置面積よりも小さく、該オーバーコート３５が該封止キャップ４３内に被覆されるようにする。
【００１２】
図５に示すように、本発明の第二実施例における有機ＥＬ装置４０１は、上述と異なる点として、カラーフィルタ３０のオーバーコート３５表面上に更にバリヤ（保護）層３７を設け、該封止キャップ４３の封止エリア(枠)４３１は該封止樹脂４５により直接該バリヤ層３７の表面上に貼設される。
つまり、該封止キャップ４３の封止エリア（枠）４３１と該基板３１との間にバリヤ層３７が設けられるのであり、且つ、該バリヤ層３７は二酸化シリコン等の水気及び空気をシャットアウトする材質によるものとし、第一実施例と同様に、封止キャップ４３の外形に応じ、カラー濾光層３３の側部までも覆い、カラー濾光層３３を完全に被覆した特殊な形状のオーバーコート３５を形成し、該オーバーコート３５の封止エリア４３１と該基板３１との間にはオーバーコート３５が存在しないようにし、上述同様の水気と空気シャットアウトの効果を提供する。また該封止キャップ４３の上板４３３下側表面に吸湿剤４７を増設してもよく、こうすることで該有機ＥＬ装置４０１内部の水気を吸収させる効果も有する。
【００１３】
図６に示すように、本発明の第三実施例における有機ＥＬ装置６００は、主にカラーフィルタ５０上方に有機ＥＬ素子４１を設ける。該カラーフィルタ５０のオーバーコート５５はカラー濾光層５３の側部までも覆い、カラー濾光層５３を完全に被覆し、該オーバーコート５５及びバリア層５７は封止キャップ６３の封止エリア(枠)６３１の一部の下側表面にまで延伸し、該オーバーコート５５及び該バリア層５７は皆該封止エリア（枠）６３１の垂直延伸する位置にまで延伸し、該オーバーコート５５を該バリア(保護)層５７で完全に被覆し、該オーバーコート５５がバリア層５７により外に露出しないようにする。
【００１４】
以上のように、本発明の各実施例は、基板の一部の上側表面に一つ以上のカラー濾光層を設け且つオーバーコートで該カラー濾光層及び一部の基板上方を被覆するカラーフィルタと、有機ＥＬ素子を被覆するべく該カラーフィルタ上方に封止キャップとを設ける有機エレクトロルミネッセンス装置において、カラーフィルタのオーバーコートが外界と直接接触するのを防止することで、外界の水気や空気をシャットアウトし、有機ＥＬ装置内部に水気や空気が進入するルートの形成を阻止し、使用寿命に悪影響を与える要因を排除し、品質を向上させることができる有機ＥＬ装置の封止構造となる。
なお、本発明の特徴を損なうものでなければ、上記各実施例に限定されるものでないことは勿論である。
【図面の簡単な説明】
【００１５】
【図１】公知における有機ＥＬ装置の封止構造を示す俯瞰図である。
【図２】公知における有機ＥＬ装置の封止構造を示す断面図である。
【図３】本発明の第一実施例を示す平面説明図である。
【図４】図３における断面図である。
【図５】本発明の第二実施例の断面図である。
【図６】本発明の第三実施例の断面図である。
【符号の説明】
【００１６】
１０  カラーフィルタ
１１  基板
１３  カラー濾光層
１５  オーバーコート
１７  バリヤ層
２００  有機ＥＬ装置
２１  有機ＥＬ素子
２３  封止キャップ
２３１  封止エリア（封止枠体）
２３３  底板
２５  封止樹脂
３０  カラーフィルタ
３１  基板
３３  カラー濾光層
３５  オーバーコート
３７  保護層（バリア層）
４００  有機ＥＬ装置
４０１  有機ＥＬ装置
４１  有機ＥＬ素子
４３  封止キャップ
４３１  封止エリア（封止枠体）
４３３  上板
４５  封止樹脂
４７  吸湿剤
５０  カラーフィルタ
５１  基板
５３  カラー濾光層
５５  オーバーコート
５７  保護層（バリア層）
６００  有機ＥＬ装置
６３  封止キャップ
６３１  封止エリア（封止枠体）
６３３  上板
【図１】
2007141803.tif 000003
【図２】
2007141803.tif 000004
【図３】
2007141803.tif 000005
【図４】
2007141803.tif 000006
【図５】
2007141803.tif 000007
【図６】
2007141803.tif 000008